(57)【要約】【課題】余長収納装置を必要としない光終端装置とする。【解決手段】入力された光信号を電気信号に変換し、増幅して出力端子３１ｂから出力する固定ユニット１１は、本体ケース１０に収納され、その上に内部カバー１２が被嵌される。内部カバー１２のおもて面には光ファイバーの余長部が巻き付けられるドラム状の第１巻回部４０と第２巻回部４１とが形成されている。これにより、光終端装置１に導入された光ファイバーは、内部カバー１２の第１巻回部４０と第２巻回部４１に余長部が巻き付けられて収納され、その先端に設けられている光端子が固定ユニット１１の光コネクタ３１ａに接続されるようになる。【選択図】  図１
2004251968.tif 000002
【特許請求の範囲】
【請求項１】
光ファイバーにより伝達された光信号を電気信号に変換して出力する光受信部を少なくとも有する固定ユニットと、
前記固定ユニットに被嵌されると共に、導入された前記光ファイバーの余長部を収納する余長収納部がおもて面に形成されている内部カバーと、
該内部カバーが被嵌された前記固定ユニットを収納する開閉自在に固着されている本体ケースおよび本体ケースカバーとを備え、
前記内部カバーに形成されている余長収納部は、ドラム状に２つ並べて形成された第１巻回部と第２巻回部とを有し、導入された前記光ファイバーを前記第１巻回部および前記第２巻回部に長円状あるいは８の字状に巻き付けて収納可能とされていることを特徴とする光終端装置。
【請求項２】
ドラム状に形成されている前記第２巻回部の略半分の高さが低くされて、該低くされた部位におけるドラム状の縁部に沿って複数のリブが形成されていることを特徴とする請求項１記載の光終端装置。
【請求項３】
前記内部カバーには、前記余長収納部に巻き付けられている光ファイバーの前記第１巻回部および前記第２巻回部からの脱落を防止するためのひさし状の抜け止め片が形成されていることを特徴とする請求項１記載の光終端装置。
【請求項４】
前記内部カバーにおける前記第１巻回部により、前記固定ユニットの前記光受信部に導入されている光ファイバーが覆われており、前記内部カバーにおける前記第２巻回部により、前記固定ユニットの前記光受信部に電源を供給している電源部が覆われていることを特徴とする請求項１記載の光終端装置。
【請求項５】
前記余長収納部に収納されている光ファイバーの先端に設けられた光端子を、前記固定ユニットの前記光受信部に導入されている光ファイバーの先端に設けられている光コネクタに着脱可能に接続できるようにされていることを特徴とする請求項１記載の光終端装置。
【発明の詳細な説明】
【０００１】
【発明の属する技術分野】
本発明は、光信号を電気信号に変換する光終端装置に関するものである。
【０００２】
【従来の技術】
近年、高速高帯域通信サービスの普及に伴い、全家庭と送信局との間を光ファイバーで接続する通信サービス、例えば、光ケーブルテレビジョン（ＣＡＴＶ）が実施されている。この通信サービスの実現には、光ファイバーからの光信号を光−電気信号変換して増幅し、増幅された周波数多重信号をセットトップボックスや同軸のＣＡＴＶ線路に供給するための光終端装置が必要となる。この光終端装置には、光ファイバーが導入されるが光ファイバーは、その長さに余裕を持って布設されるため光ファイバーの余長部を収納する余長収納装置が必要となる。
【０００３】
光ファイバーの余長収納装置を設けると次のような利点が得られる。光ファイバー長に余裕を持たせる余長部を設けることによって、光ファイバーを長く延ばすような接続変更等にそのまま対応することができる。また、光ファイバーの接続作業で低損失接続が得られなかった場合に、光ファイバーの接続端を切断してやり直しすることができる。さらに、保守作業等で光ファイバーを傷めた場合でも損傷部分までを切断して再接続を可能とすることができる。なお、光ファイバーは、曲げすぎると伝送特性が劣化し極端な場合には破断されるため、光ファイバーの余長は、所定の曲げ半径を保つようにして余長収納部に収納されている。
【０００４】
【発明が解決しようとする課題】
従来は、上記したように光終端装置装置と余長収納装置とを必要としているため、これらの２つの装置を設置する際に大きな設置面積を必要とすると共に設置工事が煩雑になるという問題点があった。
【０００５】
そこで、本発明は、独立した余長収納装置を必要としない光終端装置を提供することを目的としている。
【０００６】
【課題を解決するための手段】
上記目的を達成するために、本発明の光終端装置は、光ファイバーにより伝達された光信号を電気信号に変換して出力する光受信部を少なくとも有する固定ユニットと、前記固定ユニットに被嵌されると共に、導入された前記光ファイバーの余長部を収納する余長収納部がおもて面に形成されている内部カバーと、該内部カバーが被嵌された前記固定ユニットを収納する開閉自在に固着されている本体ケースおよび本体ケースカバーとを備え、前記内部カバーに形成されている余長収納部は、ドラム状に２つ並べて形成された第１巻回部と第２巻回部とを有し、導入された前記光ファイバーを前記第１巻回部および前記第２巻回部に長円状あるいは８の字状に巻き付けて収納可能とされている
【０００７】
また、上記本発明の光終端装置において、ドラム状に形成されている前記第２巻回部の略半分の高さが低くされて、該低くされた部位におけるドラム状の縁部に沿って複数のリブが形成されていてもよい。
さらに、上記本発明の光終端装置において、前記内部カバーには、前記余長収納部に巻き付けられている光ファイバーの前記第１巻回部および前記第２巻回部からの脱落を防止するためのひさし状の抜け止め片が形成されていてもよい。
【０００８】
さらにまた、上記本発明の光終端装置において、前記内部カバーにおける前記第１巻回部により、前記固定ユニットの前記光受信部に導入されている光ファイバーが覆われており、前記内部カバーにおける前記第２巻回部により、前記固定ユニットの前記光受信部に電源を供給している電源部が覆われているようにしてもよい。
さらにまた、上記本発明の光終端装置において、前記余長収納部に収納されている光ファイバーの先端に設けられた光端子を、前記固定ユニットの前記光受信部に導入されている光ファイバーの先端に設けられている光コネクタに着脱可能に接続できるようにされていてもよい。
【０００９】
このような本発明によれば、光受信部を有する固定ユニットに被嵌される内部カバーにドラム状に２つ並べて形成された第１巻回部と第２巻回部により余長収納部を構成するようにしている。この場合、開閉自在に本体ケースに被嵌されている本体ケースカバーを開けることにより、光ファイバーの余長部を第１巻回部と第２巻回部からなる余長収納部に収納することができる。これにより、独立した余長収納装置を設けることなく光ファイバーの余長部を光終端装置に収容することができるようになる。また、固定ユニットは内部カバーにより覆われていることから光ファイバーの余長部を収納するユーザが固定ユニットに触れることを防止することができる。さらに、第１巻回部および第２巻回部に長円状あるいは８の字状に光ファイバーを巻き付けて収納可能としているので、導入した光ファイバーの余長部を収納したあとに、光終端装置から光ファイバーを導出して隣接配置された光機器に導入することができる。すなわち、他の光機器の余長収納装置として利用することができるようになる。
【００１０】
また、第２巻回部の約半分を複数のリブにより構成すると、光ファイバーをリブ間に通すことにより、余長長さの調節を行うことができるようになる。さらに、余長収納部に収納される光ファイバーの先端に設けた光端子を着脱可能に光コネクタに接続することにより、固定ユニットに光ファイバーを導入するようにしたので、故障などにより固定ユニットを交換する必要性が生じた場合、光コネクタから光端子を外すことにより内部カバーの余長収納部に光ファイバーの余長部を収納したままで、内部カバーを取り外して固定ユニットを交換することができるようになる。
【００１１】
【発明の実施の形態】
本発明の実施の形態の光終端装置の構成を示す分解組立図を図１に、その構成を示す側面図を断面図で図２に示す。
これらの図に示すように、本発明にかかる光終端装置１は金属製のシャーシ３３を有する固定ユニット１１を備えている。固定ユニット１１は、光−電気信号変換部により光信号を電気信号に変換して、変換された周波数多重信号を増幅して出力する光受信部を有する増幅部３１と、この増幅部３１に電源を供給する電源部３２とがシャーシ３３上に組まれて構成されている。この固定ユニット１１は、図６に示す斜視図のように光−電気信号変換部に光信号を受光するための光コネクタ３１ａを有しており、この光コネクタ３１ａは増幅部３１をシールドしているシールド箱３４の上面に固着されている。固定ユニット１１を構成しているシャーシ３３およびシールド箱３４は増幅部３１の放熱板としても作用している。固定ユニット１１において、光コネクタ３１ａを介して入力された光信号は、増幅部３１において電気信号に変換され増幅された周波数多重信号は、シールド箱３４の前面に設けられた出力端子３１ｂから出力される。この出力信号をモニタするモニタ端子３１ｃをシールド箱３４の前面に設けてもよい。なお、電源部３２は商用電源電圧を所定の交流電圧に降圧するトランスと、降圧された交流電圧を整流・平滑して定電圧の直流電圧として増幅部３１に供給する電源回路が組まれた電源基板とから構成されている。
【００１２】
この固定ユニット１１は、樹脂製とされている箱状の本体ケース１０に収納されている。この本体ケース１０の詳細構成を図３、図４、図５示す。ただし、図３は本体ケース１０の構成を示す平面図であり、図４は本体ケース１０の構成を示す下面図であり、図５は本体ケース１０の構成を示す側面図である。
これらの図に示すように本体ケース１０の内部には、４本のボス２０が形成されており、固定ユニット１１が本体ケース１０に収納された際にボス２０がそれぞれ挿通する４つの挿通孔３５が固定ユニット１１における電源部３２の周囲のシャーシ３３に形成されている。すなわち、固定ユニット１１を本体ケース１０に収納した際に、４本のボス２０がシャーシ３３に形成された４つの挿通孔３５にそれぞれ嵌挿されることにより、固定ユニット１１が本体ケース１０に位置決めされて収納されるようになる。
【００１３】
本体ケース１０の前面には固定ユニット１１に設けられている出力端子３１ｂが挿通する円筒状の鍔部２１と、モニタ端子３１ｃが挿通する円筒状の鍔部２２とが形成されている。また、本体ケース１０の側壁の後部には後述する本体ケースカバー１３を開閉可能に支持するための一対の係合凸部２３が形成されており、本体ケースカバー１３を本体ケース１０に固着するためのネジが螺着されるネジ部２５が前面に設けられている。さらに、本体ケース１０の底面から前方へ突出するように、光終端装置１を被取付面に固着するためのネジを挿通する挿通孔が形成された一対の固定用突起２４が設けられている。
【００１４】
図１、図２に戻り、固定ユニット１１を本体ケース１０に収納した状態において、固定ユニット１１上に内部カバー１２が被嵌される。この内部カバー１２により本発明に特徴的な光ファイバーの余長収納部が構成されている。内部カバー１２の構成を図７ないし図１０に示す。ただし、図７は内部カバー１２の構成を示す平面図であり、図８は内部カバー１２の構成を示す正面図であり、図９は内部カバー１２の構成を示す下面図であり、図１０は内部カバー１２の構成を示す背面図である。
固定ユニット１１を本体ケース１０に収納した状態において、固定ユニット１１上に内部カバー１２を被嵌すると図８および図９に示すように、内部カバー１２の下面から４本突出して形成されている取付足４７の先端に形成されているくぼみに、本体ケース１０に設けられている４本のボス２０の先端が嵌合するようになる。そこで、内部カバー１２の上面から取付足４７に形成されている貫通孔内にネジを挿通してボス２０に螺着することにより、内部カバー１２、固定ユニット１１および本体ケース１０が一体となるように固着することができる。また、内部カバー１２の前面側に形成された２つのネジ挿通孔に挿通したネジは固定ユニット１１のシールド箱３４の上面に螺着されて、内部カバー１２が固定ユニット１１に固着される。
【００１５】
内部カバー１２には図７ないし図１０に示すように、上面に第１巻回部４０と第２巻回部４１とが並んで形成されている。この第１巻回部４０と第２巻回部４１は、断面が略長円でドラム状に突出して形成されており、導入された光ファイバーを第１巻回部４０と第２巻回部４１に巻き付けることにより、光ファイバーの余長部を収納することができるようにされている。詳細に説明すると、固定ユニット１１における光コネクタ３１ａに接続される光ファイバーは、図７に示す光ファイバー導入孔４５から光終端装置１内に導入され、光ファイバー接続器が収納される収納溝４３を通り第２巻回部４１に導入されて第２巻回部４１に巻き付けられる。第２巻回部４１は、下部に設けられた断面が略円形の第２ドラム部４１ｂと、第２ドラム部４１ｂの上部に形成された断面が略半円形状の第１ドラム部４１ａとから構成されている。さらに、第１ドラム部４１ａが形成されていない第２ドラム部４１ｂの上部にその縁部に沿って３つのガイドリブ４４が形成されている。３つのガイドリブ４４の幅は異なっており、ガイドリブ４４の間に光ファイバーを通すことが可能とされている。第１ドラム部４１ａと第２ドラム部４１ｂとは、その径が略３０ｍｍ以上とされて巻き付けた光ファイバーにおける光信号の伝送ロスが大きくならないようにしていると共に、その破断を防止している。
【００１６】
第１ドラム部４１ａおよび第２ドラム部４１ｂにより、図１０に示すように光ファイバーを収納する収容溝４１ｃが、その周囲に形成される。これにより、第２巻回部４１に導入された光ファイバーは第２ドラム部４１ｂに複数回巻回して収容溝４１ｃ内に収納することができる。また、第１ドラム部４１ａに巻き付けた光ファイバーは第２巻回部４１から第１巻回部４０へ導入して第１巻回部４０に巻き付けることができるようにされている。第１巻回部４０は、第１ドラム部４１ａとほぼ同様の高さに形成された断面が略長円のドラム部４０ａから構成されて、図１０に示すように光ファイバーを収納する収容溝４０ｂが、その周囲に形成されている。そして、高さがほぼ等しいドラム部４０ａと第１ドラム部４１ａとが並んで所定距離おいて形成されていることから、光ファイバーをドラム部４０ａと第１ドラム部４１ａとに長円状に巻き付けて収容溝４０ｂ，４１ｃ内に収納することができる。さらに、ドラム部４０ａと第１ドラム部４１ａとの間で交差させることにより、８の字状に光ファイバーを巻き付けて収容溝４０ｂ，４１ｃ内に収納することができるようにされている。このように、８の字状に光ファイバーを巻き付けると、その光ファイバーを光ファイバー導入孔４５から導出することが可能となり、他の光機器における光ファイバーの余長収納部として光終端装置１を利用することができるようになる。なお、ドラム部４０ａの径は略３０ｍｍ以上とされて巻き付けた光ファイバーにおける光信号の伝送ロスが大きくならないようにしていると共に、その破断を防止している。
【００１７】
また、先端に設けられた光端子を光コネクタ３１ａに嵌着する光ファイバーは、第１巻回部４０のドラム部４０ａおよび第２巻回部４１の第１ドラム部４１ａと第２ドラム部４１ｂとに余長部が巻き付けられて収容溝４０ｂ，４１ｃ内に収納されるが、３つのガイドリブ４４の間に光ファイバーを通すことにより光ファイバーの余長部の長さを調節することができる。なお、ガイドリブ４４は３つに限るものではなく２つ以下、あるいは４つ以上としても良く、その幅も次第に広くしたり狭くしたりあるいは一定の幅とすることができる。なお、第１巻回部４０におけるドラム部４０ａには光コネクタ３１ａの前部が挿通する挿通孔４６が形成されている。これにより、光ファイバー導入孔４５から導入された光ファイバーの先端に設けられた光端子を、第１巻回部４０や第２巻回部４１の略高さ位置で光コネクタ３１ａに接続することができるようになる。
【００１８】
さらに、第１巻回部４０のドラム部４０ａおよび第２巻回部４１の第１ドラム部４１ａとガイドリブ４４に巻き付けられた光ファイバーが緩んでも収容溝４０ｂ、４１ｃから抜け出ないようにひさし状の複数の抜け止め片４２が、内部カバーの上縁から収容溝４０ｂ、４１ｃを覆うように突出して形成されている。なお、光ファイバー導入孔４５から導入される光ファイバーは、多芯の光ファイバーとされその内の１本が光コネクタ３１ａに接続され、他の光ファイバーは予備の光ファイバーとされる。内部カバー１２に設けられている収納溝４３には光ファイバー同士を接続する接続器（スプライス）を嵌着する溝とされている。この収納溝４３は２本設けられ、各溝に２段に接続器を嵌着することができることから、光ファイバー導入孔４５から導入された多芯の光ファイバーの内の４本の光ファイバーまでを接続することができるようにされている。ところで、固定ユニット１１は内部カバー１２により覆われていることから光ファイバーの余長部を内部カバー１２に形成されている第１巻回部４０および第２巻回部４１に収納するユーザは、光コネクタ３１ａから固定ユニット１１までの光ファイバおよび固定ユニット１１に触れることはできず、触れることによる事故を防止することができる。
【００１９】
このようにして、固定ユニット１１および内部カバー１２が一体に固着された本体ケース１０に、図１および図２に示すように本体ケースカバー１３が開閉自在に被嵌される。本体ケースカバー１３の後部からは一対の保持部５０が下方へ突出するよう形成されており、この保持部５０に形成されている係合孔が本体ケース１０の後部側壁に形成されている一対の係合凸部２３にそれぞれ係合される。これにより、係合凸部２３を回転軸として本体ケースカバー１３は本体ケース１０に対して回転するようになり開閉自在な構成とされている。また、本体ケースカバー１３の前端部にはネジの挿通孔が形成されており、この挿通孔に挿通したネジを本体ケース１０のネジ部２５に螺着することにより、本体ケース１０に本体ケースカバー１３を閉じた状態で固着することができる。なお、本体ケースカバー１３の上面には内部カバー１２のドラム部４０ａに形成されている孔に通じる２つの孔が設けられているが、この孔は固定ユニット１１に設けられている２つの表示素子の発光を観察する孔とされている。２つの表示素子は、例えばパイロットランプとアラームランプとされている。
【００２０】
次に、本発明にかかる光終端装置１に光ファイバーを導入した状態の構成の一例を図１１に示す。
図１１において、光ファイバー導入孔４５から導入された光ファイバー６１は単芯の光ファイバーであり押さえ具６７を介して接続器６２で光ファイバー６３に接続されている。光ファイバー６３の余長部は第２巻回部４１の第１ドラム部４１ａに巻き付けられて、さらに第１巻回部４０のドラム部４０ａに巻き付けられる。そして、光ファイバー６３の延長である光ファイバー６５に示すようにガイドリブ４４の間を通って長さが調節されて第１ドラム部４１ａに巻き付けられて、その先端に設けられている光端子６３ａが光コネクタ３１ａに接続されている。このようにして光ファイバー６３の余長部が光終端装置１内に収納されている。
【００２１】
また、光ファイバー導入孔４５において図示していない光ファイバー６６の下から導入された光ファイバー６４は、第２巻回部４１の第１ドラム部４１ａに巻き付けられて、第１巻回部４０と第２巻回部４１との間で交差して第１巻回部４０のドラム部４０ａに時計回りに巻き付けられている。さらに、ドラム部４０ａに時計回りに１回巻き付けられて、第２巻回部４１の第１ドラム部４１ａに巻き付けられた後に、接続器６２において光ファイバー６６に接続されている。光ファイバー６６は、光ファイバー導入孔４５から導出されて光終端装置１に隣接して配置されている光機器１００に導入されている。このように、第２巻回部４１および第１巻回部４０に８の字状に巻き付けられることにより、光ファイバー導入孔４５から導入された光ファイバー６４を光ファイバー導入孔４５から導出させることができるようになる。これにより、光機器１００に導入される光ファイバー６４，６６の余長収納部として光終端装置１を利用することができるようになる。
【００２２】
以上説明した光終端装置１において、余長収納部に収納される光ファイバーの先端に設けた光端子６３ａを着脱可能に光コネクタ３１ａに接続することにより、固定ユニット１１に光ファイバーを導入するようにしている。これにより、故障などにより固定ユニット１１を交換する必要性が生じた場合、光コネクタ３１ａから光端子６３ａを外すことにより内部カバー１２に形成されている余長収納部に光ファイバーの余長部を収納したままで、内部カバー１２を取り外して固定ユニット１１を交換することができるようになる。
【００２３】
【発明の効果】
上記したように本発明は、光受信部を有する固定ユニットに被嵌される内部カバーにドラム状に２つ並べて形成された第１巻回部と第２巻回部により余長収納部を構成するようにしている。この場合、開閉自在に本体ケースに被嵌されている本体ケースカバーを開けることにより、光ファイバーの余長部を第１巻回部と第２巻回部からなる余長収納部に収納することができる。これにより、独立した余長収納装置を設けることなく光ファイバーの余長部を光終端装置に収容することができるようになる。また、固定ユニットは内部カバーにより覆われていることから光ファイバーの余長部を収納するユーザが固定ユニットに触れることを防止することができる。さらに、第１巻回部および第２巻回部に長円状あるいは８の字状に光ファイバーを巻き付けて収納可能としているので、導入した光ファイバーの余長部を収納したあとに、光終端装置から光ファイバーを導出して隣接配置された光機器に導入することができる。すなわち、他の光機器の余長収納装置として利用することができるようになる。
【００２４】
また、第２巻回部の約半分を複数のリブにより構成すると、光ファイバーをリブ間に通すことにより、余長長さの調節を行うことができるようになる。さらに、余長収納部に収納される光ファイバーの先端に設けた光端子を着脱可能に光コネクタに接続することにより、固定ユニットに光ファイバーを導入するようにしたので、故障などにより固定ユニットを交換する必要性が生じた場合、光コネクタから光端子を外すことにより内部カバーの余長収納部に光ファイバーの余長部を収納したままで、内部カバーを取り外して固定ユニットを交換することができるようになる。
【図面の簡単な説明】
【図１】本発明の実施の形態の光終端装置の構成を示す分解組立図である。
【図２】本発明の実施の形態の光終端装置の構成を断面図で示す側面図ある。
【図３】本発明の実施の形態の光終端装置における本体ケースの構成を示す平面図である。
【図４】本発明の実施の形態の光終端装置における本体ケースの構成を示す底面図である。
【図５】本発明の実施の形態の光終端装置における本体ケースの構成を示す側面図である。
【図６】本発明の実施の形態の光終端装置における固定ユニットの構成を示す斜視図である。
【図７】本発明の実施の形態の光終端装置における内部カバーの構成を示す平面図である。
【図８】本発明の実施の形態の光終端装置における内部カバーの構成を示す正面図である。
【図９】本発明の実施の形態の光終端装置における内部カバーの構成を示す下面図である。
【図１０】本発明の実施の形態の光終端装置における内部カバーの構成を示す背面図である。
【図１１】本発明の実施の形態の光終端装置に光ファイバーを導入した状態の構成の一例を示す図である。
【符号の説明】
１  光終端装置、１０  本体ケース、１１  固定ユニット、１２  内部カバー、１３  本体ケースカバー、２０  ボス、２１  鍔部、２２  鍔部、２３  係合凸部、２４  固定用突起、２５  ネジ部、３１  増幅部、３１ａ  光コネクタ、３１ｂ  出力端子、３１ｃ  モニタ端子、３２  電源部、３３  シャーシ、３４  シールド箱、３５  挿通孔、４０  第１巻回部、４０ａ  ドラム部、４０ｂ  収容溝、４１  第２巻回部、４１ａ  ドラム部、４１ｂ  ドラム部、４１ｃ  収容溝、４２  抜け止め片、４３  収納溝、４４  ガイドリブ、４５  光ファイバー導入孔、４６  挿通孔、４７  取付足、５０  保持部、６１  光ファイバー、６２  接続器、６３  光ファイバー、６３ａ  光端子、６４  光ファイバー、６５光ファイバー、６６  光ファイバー、６７  押さえ具、１００  光機器
【図１】
2004251968.tif 000003
【図２】
2004251968.tif 000004
【図３】
2004251968.tif 000005
【図４】
2004251968.tif 000006
【図５】
2004251968.tif 000007
【図６】
2004251968.tif 000008
【図７】
2004251968.tif 000009
【図８】
2004251968.tif 000010
【図９】
2004251968.tif 000011
【図１０】
2004251968.tif 000012
【図１１】
2004251968.tif 000013